(57)【要約】【課題】排水処理運転の際や活性炭粒の入れ替え運転の際には活性炭粒の落下を防止できて分級防止運転の際には活性炭粒を落下させることができ、又、ストレーナ本体と笠状部材とが強固な結合力を有する流動床活性炭水処理装置のストレーナを提供する。【解決手段】ストレーナ本体嵌合部４８のテーパー状の上端部と笠状部材４２の溝５０Ｂにより、ストレーナ２２は嵌合し易く脱落し難い構造となっている。又、笠状部材４２の先端とストレーナ本体４０の開口部４４とを結ぶ線と、水平面とを成す角度が活性炭粒の水中での安息角±０．５°になるように形成されているので、排水処理運転時及び活性炭粒の入れ替え運転時には活性炭粒の落下を防止でき、且つ、分級防止運転の際には活性炭粒を落下させることができる。【選択図】    図３
2004290760.tif 000002
【特許請求の範囲】
【請求項１】
吸着塔内に多段状に設けられた棚段に活性炭層が支持されると共に、前記棚段に形成された多数の孔にストレーナを取り付けた流動床活性炭水処理装置であって、前記吸着塔内に原水の上向流を形成するときには前記ストレーナを介して原水を通過させると共に活性炭粒の棚段からの落下を防止し、前記吸着塔内に下向流を形成するときには前記ストレーナを通過する原水に同伴させて前記棚段の活性炭粒を落下させる流動床活性炭水処理装置のストレーナにおいて、
前記ストレーナは、
前記棚段の上面に突設され、上端が閉塞された筒状のストレーナ本体と、
該ストレーナ本体の側面に形成された開口部と、
該開口部の上方に設けられ、前記ストレーナ本体の側面から突出された笠状部材と、
を備え、該笠状部材の先端と前記開口部の下端位置とを結ぶ線と、水平面との成す角度が、活性炭粒の水中での安息角±０．５°であることを特徴とする流動床活性炭水処理装置のストレーナ。
【請求項２】
吸着塔内に多段状に設けられた棚段に活性炭層が支持されると共に、前記棚段に形成された多数の孔にストレーナを取り付けた流動床活性炭水処理装置であって、前記吸着塔内に原水の上向流を形成するときには前記ストレーナを介して原水を通過させると共に活性炭粒の棚段からの落下を防止し、前記吸着塔内に下向流を形成するときには前記ストレーナを通過する原水に同伴させて前記棚段の活性炭粒を落下させる流動床活性炭水処理装置のストレーナにおいて、
前記ストレーナは、
上端が閉塞された筒状に形成され、側面に開口部が形成されるとともに、前記棚段の上面に突出するように前記棚段の孔に取り付けられるストレーナ本体と、
前記ストレーナ本体の上端部に嵌合される嵌合孔を有し、該嵌合孔に前記ストレーナ本体の上端部を嵌合させることによって、前記ストレーナ本体の側面から突出される笠状部材と、
を備え、前記ストレーナ本体の上端部にはテーパー加工が施されるとともに、前記笠状部材の嵌合孔の外側には、前記嵌合孔を囲むように溝が形成されることを特徴とする流動床活性炭水処理装置のストレーナ。
【発明の詳細な説明】
【０００１】
【発明の属する技術分野】
本発明は流動床活性炭水処理装置のストレーナに係り、特に吸着塔の活性炭層を支持する棚段に形成された多数の孔に取り付けられるストレーナに関する。
【０００２】
【従来の技術】
下水等に含まれる不溶性物質（ＳＳ）の除去を行う排水処理方法として、吸着物質である活性炭粒を用いて排水処理を行う活性炭吸着法が広く用いられている。その一例として、特許文献１には、多段式の流動床活性炭水処理装置が開示されている。
【０００３】
この流動床活性炭水処理装置は、縦型の吸着塔の内部に複数の棚段（支持板）が水平に設けられ、各棚段に活性炭層が支持されている。また、吸着塔の下部には、原水の供給手段が設けられ、吸着塔の上部には処理水の排水手段が設けられている。前記棚段には、多数のストレーナが取り付けられており、活性炭粒の落下を防止しつつ、且つ、原水が通過できるようになっている。
【０００４】
この流動床活性炭水処理装置は、供給手段から原水を吸着塔の下部に供給することにより、原水が吸着塔の内部を上昇して活性炭層によって吸着処理され、吸着塔の上部から処理水として排水される。
【０００５】
このような流動床活性炭水処理装置において、排水処理運転を連続して行うと、活性炭の吸着作用が消失し、活性炭はいわゆる「破過」の状態になる。そこで、吸着塔内の活性炭粒を定期的に入れ替える必要がある。活性炭粒の入れ替え作業は、まず、十分な吸着作用を有する新しい活性炭粒（或いは、再生炭粒）を吸着塔の上部から供給し、最上段の活性炭層に活性炭粒を補充する。そして、各活性炭層の表層の活性炭粒をその下段の活性炭層に送り込むとともに、最下段の活性炭層を吸着塔の下部から引き抜く。これにより、吸着塔内の活性炭粒が順次入れ替えられ、破過したものが最下段から引き抜かれる。
【０００６】
また、上記の流動床活性炭水処理装置では、各活性炭層の内部において粒度分布が生じ、いわゆる「分級」が発生するという可能性がある。そこで、従来は、吸着塔の下部を開放することにより吸着塔内に下降流を発生させ、各活性炭層の活性炭粒をストレーナを介して落下させている。これにより、各活性炭層の下部に分布していた粒度の大きい活性炭粒が、下段の活性炭層の上に落下することで解消できる。
【０００７】
【特許文献１】
特開平１０−２０２０８８号公報
【０００８】
【発明が解決しようとする課題】
しかしながら、従来の水処理装置は、分級防止運転の際に、活性炭粒がストレーナを通過せず、ストレーナが目詰まりするおそれがあった。このため、活性炭粒がスムーズに通過するようにストレーナを構成することが好ましいが、そのように構成すると、排水処理運転をした際や活性炭粒の入れ替え運転をした際に活性炭粒がストレーナを通過して落下しやすくなり、排水処理の効率が低下するという問題があった。
【０００９】
又、ストレーナは制作方法の制約により、ストレーナ本体と笠状部材とは個別に製作して組み立てる必要がある。しかし、単なる嵌め合いでは結合力が弱く、容易に破損する可能性がある。
【００１０】
本発明はこのような事情に鑑みてなされたもので、排水処理運転の際や活性炭粒の入れ替え運転の際には活性炭粒の落下を防止でき、且つ、分級防止運転の際には活性炭粒を落下させることができる流動床活性炭水処理装置のストレーナを提供することを目的とする。又、ストレーナ本体と笠状部材とが強固な結合力を有する流動床活性炭水処理装置のストレーナを提供することを目的とする。
【００１１】
【課題を解決するための手段】
本発明の請求項１は前記目的を達成するために、吸着塔内に多段状に設けられた棚段に活性炭層が支持されると共に、前記棚段に形成された多数の孔にストレーナを取り付けた流動床活性炭水処理装置であって、前記吸着塔内に原水の上向流を形成するときには前記ストレーナを介して原水を通過させると共に活性炭粒の棚段からの落下を防止し、前記吸着塔内に下向流を形成するときには前記ストレーナを通過する原水に同伴させて前記棚段の活性炭粒を落下させる流動床活性炭水処理装置のストレーナにおいて、前記ストレーナは、前記棚段の上面に突設され、上端が閉塞された筒状のストレーナ本体と、該ストレーナ本体の側面に形成された開口部と、該開口部の上方に設けられ、前記ストレーナ本体の側面から突出された笠状部材と、を備え、該笠状部材の先端と前記開口部の下端位置とを結ぶ線と、水平面との成す角度が、活性炭粒の水中での安息角±０．５°であることを特徴とする。
【００１２】
本発明の発明者は、排水処理運転の際や活性炭粒の入れ替え運転の際のように、吸着塔内に上向流が形成されるときには活性炭粒の落下を防止でき、且つ、分級防止運転の際のように吸着塔内に下向流が形成されるときには活性炭粒を落下させるようなストレーナの形状を調べた結果、以下のような形状であれば好適な結果が得られるという知見を得た。すなわち、ストレーナが、棚段の上面に突設され、上端が閉塞された筒状のストレーナ本体と、該ストレーナ本体の側面に形成された開口部と、該開口部の上方に設けられ、前記ストレーナ本体の側面から突出された笠状部材と、を備え、該笠状部材の先端と前記開口部の下端位置とを結ぶ線と、水平面との成す角度が、活性炭粒の水中での安息角±０．５°であるという条件を満たす形状であれば、排水処理運転の際や活性炭粒の入れ替え運転の際には活性炭粒の落下を防止でき、且つ分級防止運転の際には活性炭粒を落下させることができるという知見を得た。
【００１３】
本発明の請求項１はこのような知見に基づいて成されたもので、上記の条件を満たすようにストレーナを形成したので、流動床活性炭水処理装置において、排水処理運転、活性炭粒の入れ替え運転、分級防止運転を効率良く行うことができる。
【００１４】
本発明の請求項２は前記目的を達成するために、吸着塔内に多段状に設けられた棚段に活性炭層が支持されると共に、前記棚段に形成された多数の孔にストレーナを取り付けた流動床活性炭水処理装置であって、前記吸着塔内に原水の上向流を形成するときには前記ストレーナを介して原水を通過させると共に活性炭粒の棚段からの落下を防止し、前記吸着塔内に下向流を形成するときには前記ストレーナを通過する原水に同伴させて前記棚段の活性炭粒を落下させる流動床活性炭水処理装置のストレーナにおいて、前記ストレーナは、上端が閉塞された筒状に形成され、側面に開口部が形成されるとともに、前記棚段の上面に突出するように前記棚段の孔に取り付けられるストレーナ本体と、前記ストレーナ本体の上端部に嵌合される嵌合孔を有し、該嵌合孔に前記ストレーナ本体の上端部を嵌合させることによって、前記ストレーナ本体の側面から突出される笠状部材と、を備え、前記ストレーナ本体の上端部にはテーパー加工が施されるとともに、前記笠状部材の嵌合孔の外側には、前記嵌合孔を囲むように溝が形成されることを特徴とする。
【００１５】
ストレーナは、ストレーナ本体に笠状部材を被せた構造を有しているが、この構造は一体成形が難しいため、ストレーナ本体と笠状部材とを別々に成形して嵌合することにより形成される。しかし、流動床活性炭水処理装置の運転中に、笠状部材がストレーナ本体から外れると、活性炭粒が棚段から常時落下してしまう。従って、ストレーナ本体と笠状部材とを嵌合するときにはスムーズな嵌合ができ、一度嵌合されたら外れにくい構造であることが必要である。
【００１６】
本発明の請求項２によれば、ストレーナ本体の上端部にテーパー加工が施されているので、ストレーナ本体と笠状部材を嵌合させた際にスムーズに組み立てることができる。また、嵌合孔を囲むように溝が形成されるので、嵌合孔の縁部がスプリング機能を発揮するようになる。したがって、ストレーナ本体の上端部を笠状部材の嵌合孔に嵌合させる際の抵抗を減少させることができる。また、一度嵌合されたら前記スプリング機能によって外れにくくなり、嵌合させた後の強度を向上させることができる。
【００１７】
【発明の実施の形態】
以下添付図面に従って本発明に係る流動床活性炭水処理装置のストレーナの好ましい実施の形態について詳説する。
【００１８】
図１は、ストレーナを好適に用いた流動床活性炭水処理装置１０の全体構成を示している。
【００１９】
図１に示すように、流動床活性炭水処理装置１０は、主に吸着塔１２、原水槽１４、処理水槽１６、棚段１８、活性炭層２０、ストレーナ２２、溢流管２４、エゼクタ２６、新炭投入管２８、底部排出管２９、排炭弁３０から構成されている。
【００２０】
吸着塔１２は縦長に形成され、足場１３によって固定される。吸着塔１２の底端部は原水管４を介して原水槽１４に接続される。原水槽１４には、流入管２から流入された原水が貯留されており、原水管４に配設された原水ポンプ１５を駆動することによって、原水槽１４の原水が原水管４を介して吸着塔１２の底端部に導入される。吸着塔１２の上端部は処理水管６を介して処理水槽１６に接続される。吸着塔１２で排水処理された処理水は、処理水管６を介して処理水槽１６に排出されて貯留される。処理水槽１６に貯留された処理水は、導出管８により系外へと導出される。
【００２１】
吸着塔１２の内部には、上下に複数段の棚段１８、１８…が設けられている。この棚段１８の上には、粒径０．４２〜０．８４ｍｍからなる活性炭粒が堆積され、活性炭層２０が形成される。各棚段１８、１８…には、後述するストレーナ２２、２２…が多数設けられ、各棚段１８、１８…を原水や処理水等の液体が通過できるようになっている。
【００２２】
各棚段１８、１８…には、溢流管２４が設けられている。溢流管２４は筒状に形成されており、その上端部は活性炭層２０の表層の位置に配置され、溢流管２４の下端部は下段の活性炭層２０の内部に配置される。ただし、最下段の棚段１８に設けた溢流管２４の下端部は、後述するエゼクタ２６に連結される。
【００２３】
各溢流管２４、２４…の上端部にはそれぞれ、エゼクタ駆動管３２、３２…の先端が配置される。各エゼクタ駆動管３２、３２…の基端部は、処理水ポンプ１７を介して処理水槽１６に接続される。したがって、処理水ポンプ１７を駆動することによって、処理水槽１６内の処理水が、エゼクタ駆動管３２を介して溢流管２４の上端部に供給される。これにより、溢流管２４の内部に下向流が形成され、活性炭層２０の表層の活性炭粒が溢流管２４を介して落下し、下段の活性炭層２０の底部に供給される。ただし、最下段の活性炭層２０では、活性炭粒が溢流管２４を介して落下し、エゼクタ２６に排出される。
【００２４】
吸着塔１２の上端部には、新しい活性炭粒（或いは再生炭）を追加投入するための新炭投入管２８が接続される。なお、新しい活性炭粒は、エゼクタ駆動管３２、３２から溢流管２４に処理水を供給する際に投入される。
【００２５】
吸着塔１２の底部には、底部排出管２９がエゼクタ２６と連結した状態で設けられる。底部排出管２９には排炭弁３０が配設されており、この排炭弁３０を開くことによって、吸着塔１２の底部に溜まった活性炭粒がエゼクタ２６へ排出される。そして、処理水ポンプ１７を駆動し、処理水槽１６の処理水をエゼクタ駆動管３２を介してエゼクタ２６に供給することによって、エゼクタ２６の活性炭粒が排炭管３４へと送られ、系外へと排出される。
【００２６】
上記の如く構成された流動床活性炭水処理装置１０では、原水ポンプ１５を駆動することによって、通常の排水処理運転が行われる。原水ポンプ１５を駆動することによって吸着塔１２の底端部に供給された原水は、ストレーナ２２、２２…を通過し、活性炭層２０を流通して活性炭粒による吸着反応を受けながら、吸着塔１２の上部まで上昇する。そして、吸着塔１２の上部から、処理水として導出管８を介して連続的に排出される。
【００２７】
ところで、排水処理運転を連続して行うと、活性炭粒が破過の状態となり排水処理能力が低下したり、各活性炭層２０、２０…で分級が生じたりするという問題が発生する。このため、活性炭粒の入れ替え運転や分級防止運転を定期的に行う必要がある。
【００２８】
活性炭粒の入れ替え運転は、排水処理運転を行いながら、新炭投入管２８から新しい活性炭粒を投入するとともに、処理水槽１６から処理水ポンプ１７によりエゼクタ駆動管３２を経て各溢流管２４へ処理水を供給する運転である。この運転が行われると、最上段の活性炭層２０に新しい活性炭粒を投入されるとともに、各活性炭層２０の上部から溢れた活性炭粒が溢流管２４を介して下段の活性炭層２０の下層へ送られ、さらに、最下段の活性炭層２０から溢れた活性炭粒がエゼクタ２６へ直接送られる。エゼクタ２６に送られた活性炭粒は、エゼクタ駆動管３２からの処理水により排炭管３４を経て系外へと排出される。なお、破過になった活性炭粒は高熱処理により吸着物質を分解、揮散、炭化させて水蒸気賦活させることで吸着力が再生するので、排炭管３４と新炭投入管２８の間に図示しない高温炉を設けて、排炭管３４から排出された活性炭粒を高温処理することにより、破過の状態の活性炭粒を再生させて新炭投入管２８から投入するようにして活性炭粒を循環使用することが好ましい。
【００２９】
一方、分級防止運転は、流動床活性炭水処理装置１０において、排水処理運転を一旦停止するとともに、吸着塔１２の底部に設けられた排炭弁３０を開成する運転である。排炭弁３０を開成すると、吸着塔１２の内部には、重力による下降流が発生する。すると、活性炭層２０の活性炭粒の一部が、吸着塔１２内の水とともにストレーナ２２を介して最上段の棚段１８から最下段の棚段１８まで順序よく落下する。これにより、各活性炭層２０の下部に分布していた粒度の大きい活性炭粒が、下段の活性炭層２０の上に落下し、粒度の小さい活性炭粒と混合されるので、粒度分布を無くすことができる。なお、最下段の棚段１８を経て吸着塔１２底部に落下した活性炭粒は、底部排出管２９からエゼクタ２６を経て排炭管３４から系外へ排出される。
【００３０】
次に、上記の如く構成された流動床活性炭水処理装置１０において使用されるストレーナ２２について説明する。
【００３１】
ストレーナ２２は、上述した流動床活性炭水処理装置１０において、排水処理運転の際や活性炭粒の入れ替え運転の際には活性炭粒の落下を防止でき、且つ、分級防止運転の際には活性炭粒を落下させる構造である必要がある。
【００３２】
図２は、ストレーナ２２の断面図であり、図３はストレーナ２２の分解断面図である。
【００３３】
図２及び図３に示すように、ストレーナ２２は、ストレーナ本体４０と笠状部材４２とを嵌合させることによって構成される。
【００３４】
ストレーナ本体４０は、上端が閉塞された筒状に形成されており、その外周面には縦方向の中央部付近にフランジ５２が形成されている。また、ストレーナ本体４０は、フランジ５２よりも下方の外周面にはねじ部５６が形成され、フランジ５２よりも上方の側面には一対の開口部４４、４４が形成される。一対の開口部４４、４４は、ストレーナ本体４０の下端にある下開口部４６に連通される。上記の如く構成されたストレーナ本体４０は、図２に示す棚段１８の孔１８Ａに上方から下方へ挿入される。そして、フランジ５２が棚段１８の上面に当接した状態で、ねじ部５６に二つのナット２３，  ２３を締め込むことによって、ストレーナ本体４０が棚段１８に固定される。
【００３５】
図３に示すように、ストレーナ本体４０の上部には、鍔部５４が外周面から突出形成されており、この鍔部５４よりも上方にストレーナ本体嵌合部４８が設けられている。ストレーナ本体嵌合部４８は、上端部にテーパー加工を施されたストレーナ本体鉤４８Ａで形成されている。
【００３６】
一方、笠状部材４２は、ストレーナ本体４０の鍔部５４よりも大きい円盤状に形成されており、その外周部には全周にわたって下方に突出した突出部５８が設けられる。また、笠状部材４２の中央部には、ストレーナ本体嵌合部４８と嵌合させるための嵌合孔５０が設けられている。嵌合孔５０の内面には、鉤状に突出した笠状部材鉤５０Ａが設けられており、ストレーナ本体鉤４８Ａとの嵌合力を強化している。さらに、笠状部材４２下面には、嵌合孔５０と同心円状に、且つ嵌合孔５０よりも外側に、円形状の溝５０Ｂが設けられている。
【００３７】
上記の如く構成されたストレーナ本体４０と笠状部材４２は、笠状部材４２の嵌合孔５０にストレーナ本体嵌合部４８を嵌合させることによって図２に示す如く組み立てられる。その際、笠状部材４２の下面が鍔部５４に当接されるので、ストレーナ本体嵌合部４８が嵌合孔５０を突き抜けることを防止できる。組み立てられた笠状部材４２は、図２に示すように、ストレーナ本体４０の開口部４４の上方において、ストレーナ本体４０の側面から突出される。
【００３８】
組み立て後のストレーナ２２は、笠状部材４２の突出部５８の下端と開口部４４の奥下端とを結んだ線と、水平線との成す角度が、活性炭粒の水中での安息角±０．５°になるように形成されている。ストレーナ本体４０と笠状部材４２とをこのような位置関係に維持することにより、原水の上向流が形成された際（すなわち、排水運転時及び活性炭粒の入れ替え運転時）には、ストレーナ２２から活性炭粒が落下するのを防止している。また、吸着塔１２内で下降流が発生した際（すなわち分級防止運転時）には、活性炭粒をスムーズに通過させて落下させることができる。
【００３９】
このように本実施の形態のストレーナ２２によれば、笠状部材４２の突出部５８の下端と開口部４４の奥下端とを結んだ線と、水平線との成す角度を活性炭粒の水中での安息角±０．５°になるように形成したので、排水処理運転時や活性炭粒の入れ替え運転時に活性炭粒の落下を防止することができ、且つ、分級防止運転時に活性炭粒をスムーズに落下させることができる。これにより、排水処理運転、活性炭粒の入れ替え運転、分級防止運転を安定して行うことができるので、吸着塔１２で浪費される活性炭粒の利用効率を向上することができる。さらに、浪費を補うための活性炭粒の量や排水処理運転の停止回数を最小限に抑えられるので、流動床活性炭水処理装置１０にかかるランニングコストを削減し、且つ排水処理能力を向上させることができる。
【００４０】
また、上述したストレーナ２２によれば、ストレーナ本体嵌合部４８の上端部がテーパー状になっているため、ストレーナ本体４０と笠状部材４２とを嵌合させる際、嵌合孔５０へ簡単に挿入することができる。したがって、嵌合孔５０に挿入する際に生じやすい笠状部材鉤５０Ａ及びストレーナ本体鉤４８Ａの潰れを防止することもできる。
【００４１】
さらに、笠状部材４２に溝５０Ｂを設けることにより、笠状部材鉤５０Ａにスプリングの機能を兼ね備えさせることができる。すなわち、笠状部材鉤５０Ａにおいて、嵌合する際の抵抗を低減するとともに、嵌合時に生じやすい笠状部材鉤５０Ａ及びストレーナ本体鉤４８Ａの潰れを防止することができる。さらに、嵌合後は笠状部材鉤５０Ａが内面方向への反発力を有するので、笠状部材鉤５０Ａとストレーナ本体鉤４８Ａとの嵌合力をさらに強化することができる。
【００４２】
なお、上述した流動床活性炭水処理装置１０において、各装置の個数、形状、材質等は特に限定するものではない。ストレーナ２２において、笠状部材４２とストレーナ本体４０とを嵌合して形成されているが、特に限定するものではない。上述した安息角を安定して保持する安価な構成であればどのようなものでもよい。
【００４３】
また、笠状部材４２の形状は上述した実施の形態に限定されるものではなく、例えば笠状部材４２の上部を円錐状に形成してもよい。その際、傾斜面が活性炭粒の水中での安息角＋１°以上になるように形成すると、活性炭粒が笠状部材４２の上に堆積することを防止でき、活性炭粒の入れ替えを効率良く行うことができる。
【００４４】
【発明の効果】
以上説明したように、本発明の流動床活性炭水処理装置のストレーナによれば、排水処理運転の際や活性炭粒の入れ替え運転の際には活性炭粒の落下を防止でき、且つ、分級防止運転の際には活性炭粒を落下させることができる。これにより、排水処理運転、活性炭粒の入れ替え運転、分級防止運転を安定して行うことできるので、効率的な排水処理を行うことができる。
【００４５】
また、本発明の流動床活性炭水処理装置のストレーナは、ストレーナ本体と笠状部材とを嵌合するときにはスムーズな嵌合ができ、一度嵌合されたら外れにくい構造なので、流動床活性炭水処理装置の運転中に、ストレーナ本体から笠状部材が外れて活性炭粒が棚段から常時落下してしまうこともない。
【図面の簡単な説明】
【図１】本発明のストレーナを好適に用いた流動床活性炭水処理装置の全体構成を示す断面図
【図２】本発明に係るストレーナの全体構成を示す断面図
【図３】
図２のストレーナの分解断面図
【符号の説明】
２…流入管、４…原水管、６…処理水管、８…導出管、１０…流動床活性炭水処理装置、１２…吸着塔、１３…足場、１４…原水槽、１５…原水ポンプ、１６…処理水槽、１７…処理水ポンプ、１８…棚段、１８Ａ…孔、２０…活性炭層、２２…ストレーナ、２３…ナット、２４…溢流管、２６…エゼクタ、２８…新炭投入管、２９…底部排出管、３０…排炭弁、３２…エゼクタ駆動管、３４…排炭管、４０…ストレーナ本体、４２…笠状部材、４４…側面開口部、４６…下開口部、４８…ストレーナ本体嵌合部、４８Ａ…ストレーナ本体鉤、５０…嵌合孔、５０Ａ…笠状部材鉤、５０Ｂ…溝、５２…フランジ、５４…鍔部、５６…ねじ部、５８…突出部
【図１】
2004290760.tif 000003
【図２】
2004290760.tif 000004
【図３】
2004290760.tif 000005